(57)【要約】【課題】本発明は、各パッチの色度差や色差値を一覧として表示するとともに、各パッチの色度差が色度図上でどの色相の方向の値であるかを分りやすく表示する表示装置、制御方法および制御プログラムを提供する。【解決手段】本発明の表示方法は、分光反射率特性に係る第１の値と第２の値から求められる色度差によって定まる色を特定する特定ステップと、特定ステップにおいて特定された色をグラフィカルオブジェクトとして表示させる表示ステップとを含む。また、上記特定された色は、色度図上でどの色相に偏っているかを示す代表色として特定される。【選択図】図２
2007205804.tif 000002
【特許請求の範囲】
【請求項１】
分光反射率特性に係る第１の値と第２の値から求められる色度差によって定まる色を特定する特定ステップと、
前記特定ステップにおいて特定された色をグラフィカルオブジェクトとして表示させる表示ステップと
を有することを特徴とする表示方法。
【請求項２】
前記特定ステップでは、
前記色度差を色度図にあてはめ、前記色度図上で再現できる色を特定することを特徴とする請求項１に記載の表示方法。
【請求項３】
前記特定ステップでは、前記色度図上における視覚的に識別可能な代表色を特定することを特徴とする請求項２に記載の色差表示装置。
【請求項４】
前記表示ステップでは、さらに、前記分光反射率特性に係る第１の値と第２の値とから求められる色差を前記グラフィカルオブジェクトとして表示することを特徴とする請求項１乃至３の何れかに記載の表示方法。
【請求項５】
前記表示ステップでは、前記グラフィカルオブジェクトとして３次元グラフを表示することを特徴とする請求項４に記載の表示方法。
【請求項６】
前記表示ステップでは、前記色度差が予め定められた値よりも大きい場合に前記グラフィカルオブジェクトを強調して表示することを特徴とする請求項１乃至５の何れかに記載の色評価装置。
【請求項７】
分光反射率特性に係る第１の値と第２の値から求められる色度差によって定まる色を特定する特定部と、
前記特定部により特定された色をグラフィカルオブジェクトとして表示させる表示部と
を有することを特徴とする表示装置。
【請求項８】
コンピュータで実行可能な制御プログラムであって、
分光反射率特性に係る第１の値と第２の値から求められる色度差によって定まる色を特定する特定ステップと、
前記特定ステップにおいて特定された色をグラフィカルオブジェクトとして表示させる表示ステップと
をコンピュータに実行させることを特徴とする制御プログラム。
【発明の詳細な説明】
【技術分野】
【０００１】
本発明は、色の再現性を評価するための表示装置、表示方法および制御プログラムに関する。
【背景技術】
【０００２】
プリンタ、ファクシミリ、モニタ等のカラー画像を取り扱う種々の画像出力装置では、本来、色の再現性が統一されていることが望ましい。そこで、従来、各画像出力装置での色の再現性を統一させるため、出力結果に対して色の評価および補正が実施されてきた。
【０００３】
特許文献１は、特定の色領域において、個別に色評価をおこなう色評価装置を開示している。特に、特許文献１に記載の発明は、肌色領域、赤色領域、緑色領域および青色領域などの個別領域ごとに色評価をおこなう。また、特許文献１は、パッチに対応したパッチアイコン内に色差値を表示させる方法が採用されている。
【０００４】
特許文献２は、デバイスにより印刷された印刷物等の測定データと過去の測定データとを比較することにより、測定データから算出された色度差を座標上に表示させて色相の偏りを表す技術が開示されている。
【特許文献１】特開２００５−９１００５号公報
【特許文献２】特開平５−２３１９４１号公報
【発明の開示】
【発明が解決しようとする課題】
【０００５】
しかし、従来技術では、次のような問題点がある。まず、色差値をパッチアイコンの表示領域内に表示させる出力形式では、色差値が絶対値で表されるため、それぞれのパッチの色差が色度図上でどの色相の方向の値であるかを表すことができない。また、色度差を座標上に表す出力形式では、全てのパッチに対する色度差を一覧表示できない。
【０００６】
本発明は、上述の問題に鑑みてなされたものであり、各パッチの色度差や色差値を一覧として表示するとともに、各パッチの色度差が色度図上でどの色相の方向の値であるかを分りやすく表示する表示装置および制御方法を提供することを目的とする。
【課題を解決するための手段】
【０００７】
本発明の表示方法は、分光反射率特性に係る第１の値と第２の値から求められる色度差によって定まる色を特定する特定ステップと、特定ステップにおいて特定された色をグラフィカルオブジェクトとして表示させる表示ステップとを含む。
【０００８】
本発明の表示装置は、分光反射率特性に係る第１の値と第２の値から求められる色度差によって定まる色を特定する特定部と、特定部により特定された色をグラフィカルオブジェクトとして表示させる表示部とを含む。
【０００９】
本発明の制御プログラムは、分光反射率特性に係る第１の値と第２の値から求められる色度差によって定まる色を特定する特定ステップを含む。また、制御プログラムは、特定ステップにおいて特定された色をグラフィカルオブジェクトとして表示させる表示ステップをコンピュータに実行させる。
【発明の効果】
【００１０】
本発明は、各パッチの色度差や色差値を一覧として出力するとともに、各パッチの色度差が色度図上でどの色相に属する値であるかを分りやすく出力する色評価装置を提供することができる。
【発明を実施するための最良の形態】
【００１１】
以下、本発明に係る実施形態について図面を用いて説明する。なお、以下の実施の形態は特許請求の範囲に記載された発明を限定するものでなく、また本実施形態で説明されている特徴の組み合わせの全てが本発明の解決手段に必須のものとは限らない。
【００１２】
本発明に係る色評価装置は、異なるデバイスからそれぞれ出力されたパッチを測色し、その測色結果から色度差および色差を算出して出力する。なお、ここでは、説明を容易にするため、色度差を色の三属性である色相および彩度の差分とし、色差を色相、彩度および明度の差分と定義する。本来であれば、色差が０となることが理想的である。なお、パッチとは、色の差を評価するために用意される測色対象物である。また、測色時には、異なるデバイスによってそれぞれ複数のパッチが印刷された２つの印刷物が使用される。なお、印刷されているパッチの配置は、２つの印刷物間で同一である。すなわち、パッチを形成するためのオリジナルの画像データは、異なるデバイス間で同一のものが使用される。
【００１３】
図１は、本実施形態による測色時のシステム構成を示す図である。なお、本実施形態に係る画像出力装置の一例として、ここではプリンタが採用されている。しかしながら、本発明に係る画像表示装置は、デジタルカラー画像を取り扱う、例えば、プリンタ、ファクシミリ、カラーモニタ等であればよい。
【００１４】
本実施形態に係るシステム構成は、測色機１０１、色評価装置１０２、プリンタ１０３、１０４およびインタフェース１０５を含む。測色機１０１は、測定対象物の濃度や絶対色度といった分光反射率特性を測定する装置である。測色機１０１は、色評価装置１０２から命令を受けて対象印刷物の色を光学的に測色し、測色結果である測色データを色評価装置１０２に送信する。測色データは、例えば、ＸＹＺ表色系の３刺激値（Ｘ（赤）、Ｙ（緑）、Ｚ（青））、濃度もしくはＬＣＨ値（Ｌ（明度）、Ｃ（彩度）、Ｈ（色相））、またはＬ＊ａ＊ｂ＊表色系の値（Ｌ＊（明度）、ａ＊（赤−緑の軸）、ｂ＊（黄−青の軸））等である。
【００１５】
なお、本発明による色評価は、Ｌ＊ａ＊ｂ＊表色系を用いる色評価を例に挙げて説明が記載される。したがって、前述した色度差は、Δａ＊、Δｂ＊となり、色差ΔＥは、以下の式で算出される。
ΔＥ＝√（（ΔＬ＊）２＋（Δａ＊）２＋（Δｂ＊）２）
ΔＥを求める色差式は、ＣＩＥ（国際照明委員会）において、ΔＥ、ΔＥ９４、ΔＥ００の３つの算出方法が定められており、それぞれ、１９７６年、１９９４年、２０００年に制定されている。本実施形態によれば、オペレータによって３つのΔＥから任意の１つの算出方法が選択可能である。つまり、色差の算出は、オペレータが選択したΔＥに対応する算出方法でおこなわれる。
【００１６】
色評価装置１０２は、プリンタ１０３、１０４からそれぞれ出力されたパッチ間の色度差および色差値を決定して出力する装置である。色評価装置１０２は、測色機１０１に測色の命令を出し、測色機１０１が予め測色して色評価装置内に記憶されているリファレンスデータと測色データとの色度差および色差を決定する。もちろん、リファレンスデータとしては、何れかのプリンタについての測色データが採用されてもよいことはいうまでもない。
【００１７】
プリンタ１０３、１０４は、上述したように複数のパッチを出力するものであって、出力した結果からインクやトナーの調整がなされる。なお、プリンタ１０３、１０４は、同一の画像データを用いてそれぞれパッチを印刷する。すなわち、双方のプリンタが使用する画像データにおいて、ＣＭＹＫ（シアン、マゼンダ、イエロー、ブラック）やＲＧＢ（赤、緑、青）などの各画像情報は何れも同一となる。
【００１８】
ところで、複数の異なるデバイス（例えば、プリンタ１０３、１０４）が同一の画像データを使用したとしても、同一の出力結果が得られるとは限らない。なぜなら、デバイス間で、色の再現性が一致しないことがあるからである。そこで、本実施形態は、異なったデバイスからの出力結果を測色機１０１で測定し、測定結果に基づいて色度差および色差を決定して出力する。これにより、デバイスの個体差をオペレータが把握できるようにする。例えば、色度差および色差の結果に基づいてデバイスを調整することで、出力デバイスの個体差を低減させることが可能となる。
【００１９】
本実施形態では、同一のデバイスカラーデータでプリンタ１０３およびプリンタ１０４のそれぞれから出力されたパッチの色差を比較する。なお、プリンタ１０３およびプリンタ１０４は、インタフェース１０５を介して接続されている。しかしながら、本実施形態に係るシステム構成は、インタフェース１０５を介して接続されている必要はなく、外部のプリンタから出力されたパッチや外部の測色機による測色データを比較対象にするようにしてもよい。
【００２０】
図２は、本実施形態による色評価装置の概要を表した図である。ここでは、本発明に関する主要な部分についてのみ説明が記載される。
【００２１】
色評価装置１０２は、システム制御部２０１および記憶部２０２を含む。なお、色評価装置１０２には、測色機１０１、プリンタ１０３、１０４、入力装置２１２および表示装置２１３が接続される。また、システム制御部２０１は、操作部２０３、決定部２０４、測色部２０５、表示出力部２０６および特定部２０７を含む。記憶部２０２は、プリンタ１０３から印刷されたパッチの測色データＡ２０８およびプリンタ１０４から印刷されたパッチの測色データＢ２０９を含む。さらに、記憶部２０２は、本実施形態における色評価装置１０２を制御するためのプログラム２１０およびＲＡＭ２１１を含む。ＲＡＭ２０２は、システム制御部２０１が計算に使うデータを測色データ２０８、２０９から取り出して一時的に記憶するものである。
【００２２】
測色部２０５は、プリンタ１０３、１０４で印刷された印刷物を測色機１０１で測色し、測色データを記憶部２０２へ格納する。また、決定部２０４は、異なるデバイスから印刷されたパッチの色度差および色差の値を測色データ２０８、２０９を用いて決定する。なお、システム制御部２０１は、測色機１０１で測色した測色データと記憶部２０２へ予め記憶されたリファレンスデータとから決定部で色度差および色差の値を決定し、その結果を記憶部２０２へ格納するようにしてもよい。ここで、例えば、プリンタ１０３によって印刷されたパッチの測色結果をリファレンスデータとすると、プリンタ１０４によって印刷されたパッチが色評価の対象となる。
【００２３】
特定部２０７は、決定部２０４によって決定された色度差（例えば、Δａ＊、Δｂ＊）から定まる色度図上の評価点が色度図上における複数の領域の何れに属するかを特定する。色度差が色度図上のどの領域に属するかを特定することは、２つのプリンタ１０３、１０４の色の再現性における差分がどの色相に偏っているかを示し、プリンタ１０３、１０４の色調整において重要な情報となる。なお、色度図および領域の特定方法に関しては、図１１を用いて後述する。
【００２４】
表示出力部２０６は、プリンタ１０３、１０４から印刷された各パッチの位置にそれぞれ対応した色度差および色差の少なくとも１つを表現するグラフィカルオブジェクトを表示装置２１３へ出力する。すなわち、１つのパッチにつき、１つのグラフィカルオブジェクトが出力される。また、グラフィカルオブジェクトは、特定部２０７によって特定された色度図上の領域から色度差がどの色相に偏っているかを表現する代表色で配色される。例えば、表示出力部２０６は、オペレータによって色度差のみの表示が選択された場合、各パッチの位置に対応したグラフィカルオブジェクトを用いて２次元で色評価結果を表現するようにしてもよい。また、表示出力部２０６は、色度差および色差の表示が選択された場合、各パッチの位置に対応したグラフィカルオブジェクトを用いて３次元のグラフで色評価結果を表現するようにしてもよい。
【００２５】
操作部２０３は、入力装置２１２を通じてオペレータから色評価装置１０２へと入力される情報を認識する。例えば、オペレータが表示する色評価結果の表示情報を選択するために操作された入力装置の情報を認識する。また、オペレータの選択によって色評価結果として前述した３次元グラフが表示された場合、オペレータが３次元グラフの視点を変更するために操作された入力装置の情報を認識する。その後、表示出力部２０６は、操作部２０３からの情報、例えば、色評価結果の選択情報や３次元グラフの視点変更情報に基づいて表示内容を変更する。
【００２６】
図３は、本実施形態による異なるプリンタから出力された印刷物の一例を示す図である。なお、本実施形態では、各パッチに対応するパッチパターンを二次元配列して表示する例を挙げる。しかしながら、本発明に係るパッチパターンの表示形式は、二次元配列による表示形式にのみ限定されるわけではない。
【００２７】
印刷物３０１および印刷物３０２には、格子状に配置された複数のカラーパッチ３０５が印刷される。カラーパッチ３０５は、行方向３０３、列方向３０４の組み合わせで配置される。各行や各列を区別するために、例えば、図３に示すように行方向３０３は数字、列方向３０４はアルファベットが付されてもよい。各パッチの位置は、例えば、１Ａというような座標情報によって特定される。測色機１０１は、測色の際、パッチ１つずつに対して測色を実施する。なお、印刷物３０１に印刷される各パッチの位置は、印刷物３０２に印刷される各パッチの位置と同じである。
【００２８】
測色部２０５は、測色機１０１を制御して、例えば、印刷物３０１に印刷されたカラーパッチ３０５から測色をおこなう。測色終了後、システム制御部２０１は、測色データを測定データＡ２０８として記憶部２０２に格納する。次に、測色部２０５は、印刷物３０２に印刷されたカラーパッチ３０５を測色し、測色データを測色データＢ２０９として記憶部２０２へ格納する。
【００２９】
その後、決定部２０４は、対応するパッチ同士ごとの測色データを比較して色度差および色差の値を決定する。決定された色度差および色差の値は、記憶部２０２へ格納される。
【００３０】
図４は、本実施形態による測色データに含まれる情報の一例を示した図である。なお、ここでは、本実施形態で扱われる情報の中で主要なものの一部を例として挙げる。
【００３１】
測色データは、パッチの行数４０１、測色日時４０２、１つのパッチが持つ情報数４０３、パッチが持つ情報の種類４０４、測色したパッチの数４０５および各パッチの情報４０６を含む。パッチの行数４０１は、プリンタ１０３、１０４から印刷された二次元のパッチの行数を表す。測色日時４０２は、測色した日時を表す。
【００３２】
パッチが持つ情報の種類４０４には、例えば、パッチＩＤ、ＲＧＢ、ＸＹＺ表色系およびＬ＊ａ＊ｂ＊表色系の各情報が含まれる。なお、パッチＩＤは、１Ａ、２Ａなど図３に示すパッチの行方向３０３および列方向３０４を特定するための識別情報である。すなわち、パッチＩＤによって、印刷されたパッチの位置が特定される。パッチの数４０５は、パッチの総数を表している。パッチの情報４０６には、パッチごとの測色データが含まれている。
【００３３】
図４によれば、Ａ列に属する測定データのみが示されているが、これは、測色データの一部が例示されているに過ぎない。もちろんＢ列からＨ列までの各要素も存在することはいうまでもない。すなわち、測色対象物である複数のパッチ全てについて、それぞれ対応する測色データが含まれている。
【００３４】
図５は、本実施形態による色評価装置の測色機に対する測色制御を示すフローチャートである。ステップＳ５０１において、測色部２０５は、測色機１０１の初期化をおこなう。次に、ステップＳ５０２において、測色部２０５は、測色対象のパッチ上まで測色機１０１を移動させるか否かを判定する。測色機１０１は、例えば、ＸＹステージに取り付けられており、測色部２０５からの移動命令に応じてＸ軸Ｙ軸方向に移動可能となっている。移動させる場合、ステップＳ５０３において、測色部２０５は、測色機１０１へ移動先の位置（座標データなど）を有する移動コマンドを送信する。その後、測色部２０５は、処理をステップＳ５０２へ遷移する。
【００３５】
一方、測色機２０５を移動させない場合、ステップＳ５０４において、測色部２０５は、パッチの読み取りを行なうか否かを判定する。ここで、測色部２０５は、測色機１０１の位置情報から測色機１０１が既に読み取られたパッチ上に存在する場合、または測色対象のパッチ上に移動していない場合、読み取り制御をおこなわない。読み取りをさせる場合、測色部２０５は、測色機１０１にパッチを測色させるため、読み取り制御をおこなう。読み取り制御についての詳細な説明は、図６を用いて後述する。なお、読み取り制御後、測色部２０５は、処理をステップＳ５０２に遷移する。測色機１０１に読み取りをさせない場合、測色部２０５は処理を終了する。なお、測色部２０５は、全てのパッチを測色するまでステップＳ５０２からＳ５０５までの処理を繰り返す。
【００３６】
図６は、本実施形態による色評価装置の測色機に対するパッチの読み取り制御を示すフローチャートである。
【００３７】
ステップＳ６０１において、測色部２０５は、複数ある絶対色度のうち、測色機１０１から受信する対象となる絶対色度を決定する。次に、ステップＳ６０２において、測色部２０５は、決定した絶対色度を読み取るコマンドを測色機１０１に対して送信する。ステップＳ６０３において、測色部２０５は、パッチから読み取った測色データを測色機１０１から受信し、読み取り制御を終了する。読み取り制御終了後、測色部２０５は、測色機１０１から受信した測色データを記憶部２０２へ格納するようにしてもよい。この記憶部２０２に格納された測色データは、比較対象となるパッチが測色された際のリファレンスデータとなる。なお、比較対象となるパッチの測色についても同様の読み取り制御となる。
【００３８】
図７は、本実施形態による色評価装置が色度差および色差の値を決定する制御を示すフローチャートである。ここでは、決定部２０４による色差値を決定する制御について説明するが、図６を用いて説明した測色制御の中でおこなうようにしてもよい。
【００３９】
ステップＳ７０１において、決定部２０４は、測色機１０１から受信すべき測色データがあるか否かを判定する。例えば、決定部２０４は、測色部２０５からの情報（測色機１０１の測色完了／未完了を示す状態フラグなど）に基づいて判定を実行する。この場合、決定部２０４は、測色機１０１へ測色データがあるか否かを直接問い合わせてもよい。判定の結果、受信すべき測色データがある場合、ステップＳ７０２に進み、決定部２０４は、測色機１０１から測色データを受信する。一方、受信すべきデータが無い場合、決定部２０４は、色度差および色差の値の決定制御を終了する。
【００４０】
次に、ステップＳ７０３において、決定部２０４は、図５に示す測色制御処理によって測色されて記憶部２０２に予め記憶されているリファレンスデータを読み出す。さらに、決定部２０４は、比較対象の測色データと、記憶部２０２から読み出された対応する測色データとを比較して色度差および色差の値を決定する。最後に、ステップＳ７０４において、決定部２０４は、決定された色度差および色差の値と対応するパッチの位置とを記憶部２０２へ格納する。決定部２０４は、全てのパッチの色度差および色差の値を決定するまでステップＳ７０１からステップＳ７０４を繰り返し、受信する測色データがなくなった場合に処理を終了する。
【００４１】
図８は、本実施形態による測色結果を表示する制御を示すフローチャートである。ステップＳ８０１において、特定部２０７は、記憶部２０２から各パッチの位置、色度差の値を読み出す。次に、ステップＳ８０２において、特定部２０７は、読み出した色度差からグラフィカルオブジェクトの表示色を決定する。まず、特定部２０７は、色度差から定まる色度図上の評価点がどの領域に属しているかを特定する。その後、特定部２０７は、その領域の代表色を決定するようにしてもよい。また、色評価装置１０２は、各領域に対応した代表色を予め記憶部２０２に記憶するようにしてもよい。さらに、ステップＳ８０３において、表示出力部２０６は、全パッチについて、それぞれ対応するグラフィカルオブジェクトを配置する。
【００４２】
ステップＳ８０４において、操作部２０３は、オペレータから色評価結果の出力指示が入力されるまで入力装置２１２を監視する。本実施形態によれば、例えば、操作部２０３は、オペレータによって表示形式が選択された場合に、出力指示が入力されたものと認識してもよい。また、本実施形態では、各パッチの色度差を示すために２次元でグラフィカルオブジェクトを配置した表示形式と、各パッチの色度差および色差を示すためにグラフィカルオブジェクトを用いて表現された３次元グラフの表示形式が選択される。
【００４３】
表示形式が選択された場合、ステップＳ８０５において、表示出力部２０６は、表示形式に対応した表示コマンドを表示装置２１３へ送信する。つまり、色度差のみの表示が選択された場合、グラフィカルオブジェクトの表示位置および表示色を含む表示コマンドが送信される。一方、色度差および色差の表示が選択された場合、グラフィカルオブジェクトの表示位置、表示色および各パッチの色差値を含む表示コマンドが送信される。その後、表示装置２１３は、送信された情報に基づいて色評価結果を表示する。
【００４４】
図９は、本実施形態による３次元グラフを用いた表示画面の全体を示す図である。図９に示すように、本色評価装置は、各グラフィカルオブジェクト９０７を色分けして表示している。各色は、決定部２０４で決定された色度差に対応する色相の偏りを表現している。
【００４５】
表示画面９００は、表示形式の選択をおこなうプルダウンメニュー９０１、色差式の選択をおこなうプルダウンメニュー９０２、色評価チャート９０３、配色ガイド図９０８、回転ボタン９０９および概評値表示窓９１０を含む。色評価チャート９０３は、図９に示すようにオペレータから表示形式として、例えば、Δａ＊、Δｂ＊、ｄ−３が選択された場合（すなわち、色度差および色差の表示が選択された場合）、３次元グラフとなる。この場合、色評価チャート９０３は、ｘ軸９０４、ｙ軸９０５、ｚ軸９０６の３軸を有する３次元グラフ上にグラフィカルオブジェクト９０７が表示される。ｘ軸９０４およびｙ軸９０５は、図３に示すような５行８列のパッチを測色した場合、それら各パッチの位置に対応している。具体的には、ｘ軸９０４がパッチの列方向３０３、ｙ軸９０５がパッチの行方向３０４に対応している。例えば、印刷物内の２Ｂの位置にあるパッチのグラフィカルオブジェクト９０７は、色評価チャート９０３においても２Ｂに相当する位置に表示される。このように印刷物における各パッチの相対位置関係は、色評価チャート９０３においても維持されている。また、ｚ軸９０６は色差値ΔＥに対応する。各パッチの位置に表示されたグラフィカルオブジェクト９０７は、それぞれの色度差における色相の偏りを表現する代表色で表示される。なお、色差値は、ｚ軸９０６で表現されることにより、方向（＋、−）が表現される。
【００４６】
操作部２０３は、入力装置２１２を用いてプルダウンメニュー９０１から選択された色評価結果の表示形式を特定する。表示形式としては、例えば、色度差のみを示す表示形式や色度差および色差値を示す表示形式などがある。また、プルダウンメニュー９０２から色差式による表示形式が選択されると、決定部２０４は、選択されたΔＥ、ΔＥ９４またはΔＥ００の色差式に従って色差値を決定する。配色ガイド図９０８は、色度図上の代表的な色相を示す図である。回転ボタン９０９は、３次元グラフを回転できるように配置されたものである。オペレータは、回転ボタン９０９をクリックし、表示されている３次元グラフに合わせてポインタをドラッグすることで３次元グラフの視点を変更することができる。すなわち、表示出力部２０６は、オペレータの操作に従って３次元グラフの表示を変更する。また、概評値表示窓９１０は、各パッチの色差値における最大値、最小値、平均値を示す。
【００４７】
図１０は、本実施形態によるオペレータによって視点を変更された３次元グラフを表す図である。３次元グラフによって表された色評価チャート９０３の視点を固定したままとすると、オペレータに見えないグラフィカルオブジェクト９０７が生じてしまう。例えば、図９の色評価チャート９０３では、１Ａや１Ｂの位置に表示されたグラフィカルオブジェクト９０７が見えにくい。この問題を解決する為にオペレータが入力装置２１２（例えば、マウス）でポインタをドラッグすることによって、表示出力部２０６は、３次元グラフの視点を変更する。この機能によりオペレータは、グラフ全体を容易に把握できるようになる。
【００４８】
図１１は、本実施形態によるグラフィカルオブジェクトの配色を決定する方法を示す図である。ここでは、一例として、Ｌ＊ａ＊ｂ＊表色系の色度図について説明する。なお、本発明は、他の表色系の色度図を採用することもできる。
【００４９】
色度図１１００は、Ｌ＊ａ＊ｂ＊表色系のａ＊ｂ＊平面を表し、横軸にａ＊、縦軸にｂ＊をとり、以下のような色度を示す。
＋ａ＊、赤色方向
−ａ＊、緑色方向
＋ｂ＊、黄色方向
−ｂ＊、青色方向
また、色度図１１００は、外周に沿って色相が変化し、中心点１１０８からの距離で彩度を示す。
【００５０】
本実施形態による色評価装置１０２は、色度図１１００を用いて、プリンタ１０３、１０４により印刷されたパッチの色度差がどの色相に偏っているかを特定する。そのため、特定部２０７は、色度差（Δａ＊、Δｂ＊）を色度図１１００上にプロットした点１１０９（以下、評価点と称す）が色度図１１００上のどの領域に属しているかを特定する。その後、特定部２０７は、特定された領域の代表色を決定し、色評価結果を出力する際のグラフィカルオブジェクト９０７の配色とする。
【００５１】
しかしながら、評価点１１０９の位置の色をそのまま代表色とした場合、人間の視覚はグレイ系統の色と感知してしまうおそれがある。色度差は、通常、１．０から２．０程度の微小な値となることが多い。このような値は、色度図１１００において、点線領域１１０７内となり、人間の視覚では十分に色相を識別できない。そのため、オペレータには、色度差がどの色相に偏っているかを即座に判断できない。
【００５２】
したがって、色評価装置１０２は、オペレータに対して色度差がどの色相に偏っているかを容易に識別させるため、色度差の代表色を決める必要がある。なお、オペレータが色の偏りの傾向を認識できることが重要である。そのため、色度差が具体的に色度図１１００上のどの色に当てはまるかという情報は相対的に重要ではない。よって、代表色でグラフィカルオブジェクト９０７を表現することは有効である。
【００５３】
代表色を決める方法として、まず、特定部２０７は、評価点１１０９が色度図１１００上のどの領域に属しているかを特定する。一例として、領域を４つに区分して特定する方法を示す。まず、領域は、色度図１１００上におけるａ＊ｂ＊平面の中心点１１０８を通る直線により均等に分割される。例えば、ａ＊ｂ＊平面をｂ＊＝ｆ（ａ＊）と表した場合、ａ＊ｂ＊平面を４分割する直線は、図１１に示すように第１の直線ｆ１（ａ＊）、第２の直線ｆ２（ａ＊）となる。なお、これらの直線は、以下の条件に従い領域を分割する。さらに、分割された領域において、特定部２０７は、評価点１１０９がどの領域に属するかを特定する。
ｆ１（ａ＊）≦ｂ＊かつｆ２（ａ＊）≦ｂ＊のとき第１の領域１１０３、
ｆ１（ａ＊）＞ｂ＊かつｆ２（ａ＊）≦ｂ＊のとき第２の領域１１０４、
ｆ１（ａ＊）＞ｂ＊かつｆ２（ａ＊）＞ｂ＊のとき第３の領域１１０５、
ｆ１（ａ＊）≦ｂ＊かつｆ２（ａ＊）＞ｂ＊のとき第４の領域１１０６となる。
各領域と代表色との対応関係は、予め記憶部２０２に記憶されていることが望ましい。この場合、代表色は、特定された領域における色度図１１００上の点線領域１１０７の外側にあるいずれかの色となる。点線領域１１０７が、人間の視覚により識別可能な色の境界を示していることは上述した通りである。例えば、評価点１１０９が第１の領域１１０３上にプロットされる場合、代表色は黄色となる。なお、Δａ＊、Δｂ＊の値が０の場合、代表色は黒となる。
【００５４】
また、代表色の決定方法として、中心点１１０８から評価点１１０９を通る直線を引き、当該直線上における点線領域１１０７より外側にある色の何れかを代表色とする方法を採用してもよい。この方法は、より詳細に色度差がどの色相に偏っているかをオペレータに把握させることができる。さらに、色度図を用いる方法に限定されるものではなく、例えば、色度差と表示する色との関係を示すテーブルを持ち、該テーブルを用いて表示する色を特定するようにしてもよい。
【００５５】
図１２は、本実施形態による２次元でグラフィカルオブジェクトを配置した出力画面の全体を表す図である。２次元での色評価結果の表示は、オペレータがΔＥ値を把握する必要のない場合に表示される。
【００５６】
表示画面９００上の色評価チャート９０３によれば、表示出力部２０６は、プリンタ１０３、１０４から印刷された各パッチの位置を表現するために列方向１２０２、行方向１２０３上にそれぞれグラフィカルオブジェクト１２０１を出力する。グラフィカルオブジェクト１２０１は、図９で示した３次元グラフと同様に配色で色度差を示す。また、表示出力部２０６は、予め定められた値よりも大きい色度差の値を持つグラフィカルオブジェクト１２０１に対してマーキング１２０４を表示するようにしてもよい。このマーキング１２０４は、色相の偏りにおける度合いを示すのに有効であり、オペレータが色度差の大きいパッチを把握しやすくするために有効である。マーキング１２０４の形態は、図１２では丸形の点線で表現しているが、オペレータに分かりやすければどのような形態でもかまわない。また、グラフィカルオブジェクト１２０１を点滅させるようにしてもよい。
【００５７】
以上説明したように、本実施形態に係る表示方法によれば、分光反射率特性に係る第１の値と第２の値から求められる色度差によって定まる色を特定する特定ステップを含む。また、制御方法は、特定ステップにおいて特定された色をグラフィカルオブジェクトとして表示させる表示ステップを有する。したがって、本発明の表示方法は、色評価において、各パッチにおける色度差がどの色相に偏っているかをグラフィカルオブジェクトの配色で容易に判断しうる。色評価後におけるデバイスの色調整において、オペレータは、色相の偏りに従って色調整をおこなう。つまり、色度差における色相の偏りを色評価結果として表現することは、色調整に直接繋がる情報となるため効率的な色評価が期待できる。
【００５８】
なお、本発明は上記実施形態に限らず様々な変形が可能となる。例えば、本実施形態における特定ステップは、色度差を色度図にあてはめ、色度図上で再現できる色を特定するするようにしてもよい。これにより、表示装置は、色度差の結果を色で表示することが可能となる。よって、色度差による色相の偏りにおける視認性が向上しうる。
【００５９】
また、本実施形態における特定ステップは、色度図上における視覚的に識別可能な代表色を特定するようにしてもよい。これにより、オペレータは、グラフィカルオブジェクトの配色によって、色相の偏りについてより詳細にどの方向へ傾いているかを容易に判断しうる。よって、色度差による色相の偏りにおける視認性がさらに向上しうる。
【００６０】
また、本実施形態における表示ステップでは、さらに、分光反射率特性に係る第１の値と第２の値とから求められる色差をグラフィカルオブジェクトとして表示するようにしてもよい。これにより、表示ステップは、画像出力装置から印刷された各パッチの位置に合わせてパッチごとに色評価結果を表示しうる。よって、オペレータは、各パッチ間における色評価結果の関係について容易に認識しうる。
【００６１】
また、本実施形態における表示ステップでは、グラフィカルオブジェクトとして３次元グラフを表示するようにしてもよい。これにより、表示ステップは、色度差および色差値の表示を同時に表示しうる。したがって、オペレータは、多方面から色評価結果を認識することができる。よって、効率的な色調整が期待できる。
【００６２】
さらに、本実施形態における表示ステップでは、前記色度差が予め定められた値よりも大きい場合に前記グラフィカルオブジェクトを強調して表示するようにしてもよい。これにより、色評価結果の視認性が向上し、効率的な色評価が可能である。
【００６３】
［他の実施形態］
以上、様々な実施形態を詳述したが、本発明は、複数の機器から構成されるシステムに適用してもよいし、また、一つの機器からなる装置に適用してもよい。例えば、プリンタ、ファクシミリ、ＰＣ、サーバとクライアントとを含むコンピュータシステムなどの如くである。
【００６４】
本発明は、前述した実施形態の各機能を実現するソフトウェアプログラムを、システム若しくは装置に対して直接または遠隔から供給し、そのシステム等に含まれるコンピュータが該供給されたプログラムコードを読み出して実行することによっても達成される。
【００６５】
従って、本発明の機能・処理をコンピュータで実現するために、該コンピュータにインストールされるプログラムコード自体も本発明を実現するものである。つまり、上記機能・処理を実現するためのコンピュータプログラム自体も本発明の一つである。
【００６６】
その場合、プログラムの機能を有していれば、オブジェクトコード、インタプリタにより実行されるプログラム、ＯＳに供給するスクリプトデータ等、プログラムの形態を問わない。
【００６７】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、記録媒体としては、磁気テープ、不揮発性のメモリカード、ＲＯＭ、ＤＶＤ（ＤＶＤ−ＲＯＭ，ＤＶＤ−Ｒ）などもある。
【００６８】
また、プログラムは、クライアントコンピュータのブラウザを用いてインターネットのホームページからダウンロードしてもよい。すなわち、該ホームページから本発明のコンピュータプログラムそのもの、もしくは圧縮され自動インストール機能を含むファイルをハードディスク等の記録媒体にダウンロードしてもよいのである。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明の構成要件となる場合がある。
【００６９】
また、本発明のプログラムを暗号化してＣＤ−ＲＯＭ等の記憶媒体に格納してユーザに配布してもよい。この場合、所定条件をクリアしたユーザにのみ、インターネットを介してホームページから暗号化を解く鍵情報をダウンロードさせ、その鍵情報で暗号化されたプログラムを復号して実行し、プログラムをコンピュータにインストールしてもよい。
【００７０】
また、コンピュータが、読み出したプログラムを実行することによって、前述した実施形態の機能が実現されてもよい。なお、そのプログラムの指示に基づき、コンピュータ上で稼動しているＯＳなどが、実際の処理の一部または全部を行ってもよい。もちろん、この場合も、前述した実施形態の機能が実現され得る。
【００７１】
さらに、記録媒体から読み出されたプログラムが、コンピュータに挿入された機能拡張ボードやコンピュータに接続された機能拡張ユニットに備わるメモリに書き込まれてもよい。そのプログラムの指示に基づき、その機能拡張ボードや機能拡張ユニットに備わるＣＰＵなどが実際の処理の一部または全部を行ってもよい。このようにして、前述した実施形態の機能が実現されることもある。
【図面の簡単な説明】
【００７２】
【図１】本実施形態による測色時のシステム構成を示す図である。
【図２】本実施形態による色評価装置の概要を表した図である。
【図３】本実施形態による異なるプリンタから出力された印刷物を示す図である。
【図４】本実施形態による測色データに含まれる情報を表した図である。
【図５】本実施形態による色評価装置の測色機に対する測色制御を示すフローチャートである。
【図６】本実施形態による色評価装置の測色機に対するパッチの読み取り制御を示すフローチャートである。
【図７】本実施形態による色評価装置が色差値を決定する制御を示すフローチャートである。
【図８】本実施形態による測色結果を表示する制御を示すフローチャートである。
【図９】本実施形態による３次元グラフを用いた表示画面の全体を示す図である。
【図１０】本実施形態によるオペレータによって視点を変更された３次元グラフを表す図である。
【図１１】本実施形態によるグラフィカルオブジェクトの配色を決定する方法を示す図である。
【図１２】本実施形態による２次元でグラフィカルオブジェクトを配置した表示画面の全体を表す図ある。
【符号の説明】
【００７３】
１０１：測色機
１０２：色評価装置
１０３、１０４：プリンタ
２０１：システム制御部
２０２：記憶部
２０３：操作部
２０４：決定部
２０５：測色部
２０６：表示出力部
２０７：特定部
２０８：測色データＡ
２０９：測色データＢ
２１０：プログラム
２１１：ＲＡＭ
２１２：入力装置
２１３：表示装置
【図１】
2007205804.tif 000003
【図２】
2007205804.tif 000004
【図４】
2007205804.tif 000005
【図５】
2007205804.tif 000006
【図６】
2007205804.tif 000007
【図７】
2007205804.tif 000008
【図８】
2007205804.tif 000009
【図３】
2007205804.tif 000010
【図９】
2007205804.tif 000011
【図１０】
2007205804.tif 000012
【図１１】
2007205804.tif 000013
【図１２】
2007205804.tif 000014